(57)【特許請求の範囲】
【請求項１】
基体と、
前記基体上に設けられた検出電極と、
前記基体上に設けられており、かつ開口部を有した第１加飾層と、
前記第１加飾層上に設けられており、一部が前記開口部内に位置する第１保護層と、
前記第１保護層上に設けられており、前記検出電極と電気的に接続された検出用配線と、
前記第１保護層上に設けられた第２加飾層と、を備え、
平面視して、前記第２加飾層は、前記開口部と重なって位置しており、
前記第２加飾層および前記検出用配線は、同じ材料からなる、入力装置。
【請求項２】
前記基体は、第１主面、および、該第１主面の反対側に位置する第２主面を有しており、
前記基体の前記第１主面は、前記第２主面よりも入力操作側に位置しており、
前記検出電極、前記第１加飾層、前記第１保護層、前記検出用配線、および前記第２加飾層は、前記基体の前記第２主面上に設けられている、請求項１に記載の入力装置。
【請求項３】
前記基体は、前記第１主面と前記第２主面との間に位置する端面をさらに有しており、
前記第１加飾層は、前記検出電極よりも前記基体の前記端面側に位置している、請求項２に記載の入力装置。
【請求項４】
前記検出用配線は、平面視して、前記開口部を除く前記第１加飾層と重なっている、請求項３に記載の入力装置。
【請求項５】
前記第１保護層の表面は略平坦面をなしている、請求項１〜３のいずれか一項に記載の入力装置。
【請求項６】
前記第２加飾層および前記検出用配線は、前記第１保護層の前記表面に設けられている、請求項５に記載の入力装置。
【請求項７】
前記基体は、第１主面、該第１主面の反対側に位置する第２主面、および、前記第１主面と前記第２主面との間に位置する端面を有しており、
前記第２加飾層の少なくとも一部は、前記検出用配線よりも前記基体の前記端面側に位
置している、請求項１〜６のいずれか一項に記載の入力装置。
【請求項８】
前記検出電極、前記検出用配線、および前記第２加飾層上に設けられたシールド層をさらに備え、
前記シールド層は、導通部を介して前記第２加飾層と電気的に接続されている、請求項７に記載の入力装置。
【請求項９】
前記基体は、平面視して、略矩形状をなしており、
前記導通部は、前記基体の隅部以外の部位上に設けられている、請求項８に記載の入力装置。
【請求項１０】
前記第１保護層上に設けられており、前記検出用配線を被覆する第２保護層をさらに備え、
前記第２加飾層は、前記第２保護層上に設けられており、
前記検出用配線の少なくとも一部は、平面視して、前記第１加飾層と前記第２加飾層とが重なる領域に位置している、請求項１〜９のいずれか一項に記載の入力装置。
【請求項１１】
平面視して、前記第１加飾層が位置する領域と前記第２加飾層が位置する領域とは、略同一である、請求項１０に記載の入力装置。
【請求項１２】
前記第１加飾層は、平面視して前記検出電極を取り囲んで位置している、請求項１〜１１のいずれか一項に記載の入力装置。
【請求項１３】
前記開口部を取り囲む前記第１加飾層の縁部は、前記開口部に近づくにつれて厚みが小さくなっている、請求項１〜１２のいずれか一項に記載の入力装置。
【請求項１４】
請求項１〜１３のいずれか一項に記載の入力装置と、
前記入力装置に対向して配置された表示パネルと、を備えた表示装置。
【請求項１５】
請求項１４に記載の表示装置と、
前記表示装置が収容された筺体と、を備えた、電子機器。
【請求項１６】
請求項１４に記載の表示装置と、
音声入力部と、
前記表示装置および前記音声入力部が収容された筺体と、を備えた携帯端末。
【発明の詳細な説明】
【技術分野】
【０００１】
本発明は、入力装置、表示装置、電子機器、および携帯端末に関する。
【背景技術】
【０００２】
従来から、基体上に加飾層が設けられた入力装置が知られている。このような入力装置では、例えば、加飾層は、第１加飾層および第２加飾層によって構成されている。第１加飾層は、開口部を有している。開口部は、例えば、使用者に対して文字あるいは図形等を示すように形成されている。また、第２加飾層は、第１加飾層の開口部を充填するように設けられている（例えば、特許文献１参照）。このため、第１加飾層の開口部を第２加飾層によって加飾することができる。さらに、加飾層上には、保護層が設けられている。
【先行技術文献】
【特許文献】
【０００３】
【特許文献１】特開２０１１−１３７６１号公報
【発明の概要】
【発明が解決しようとする課題】
【０００４】
しかしながら、上記従来の入力装置では、第２加飾層を形成する際に、表面張力の影響によって第２加飾層が第１加飾層上にぬれ上がる可能性があった。このため、第２加飾層の一部が、第１加飾層に対して凸状に形成される可能性があった。このような状態で、加飾層上に保護層を設ける場合、保護層と加飾層との間に気泡が入り込む可能性があった。保護層と加飾層との間に気泡が入り込むと、保護層が剥離する可能性があった。【０００５】
本発明は、このような事情を鑑みてなされたものであり、その目的は、保護層が剥離する可能性を低減しつつ、加飾層の開口部を加飾することができる入力装置、表示装置、電子機器、および携帯端末に関する。
【課題を解決するための手段】
【０００６】
本発明の入力装置における一態様は、基体と、前記基体上に設けられた検出電極と、前記基体上に設けられており、かつ開口部を有した第１加飾層と、前記第１加飾層上に設けられており、一部が前記開口部内に位置する第１保護層と、前記第１保護層上に設けられており、前記検出電極と電気的に接続された検出用配線と、前記第１保護層上に設けられた第２加飾層と、を備え、平面視して、前記第２加飾層は、前記開口部と重なって位置しており、前記第２加飾層および前記検出用配線は、同じ材料からなる。
【０００７】
本発明の表示装置における一態様は、本発明に係る入力装置と、前記入力装置に対向して配置された表示パネルと、を備える。【０００８】
本発明の電子機器における一態様は、本発明に係る表示装置と、前記表示装置が収容された筺体と、を備える。【０００９】
本発明の携帯端末における一態様は、本発明に係る表示装置と、音声入力部と、前記表示装置および前記音声入力部が収容された筺体と、を備える
【発明の効果】
【００１０】
本発明の入力装置、表示装置、電子機器、および携帯端末は、保護層が剥離する可能性を低減しつつ、加飾層の開口部を加飾することができる、という効果を奏する。
【図面の簡単な説明】
【００１１】
【図１】本実施形態に係る入力装置の概略構成を示す平面図である。
【図２】本実施形態に係る入力装置の概略構成を示す平面図であって、基体を透視した図である。
【図３】図２中に示したＩ−Ｉ線断面図である。
【図４】図２中に示したＩＩ−ＩＩ線断面図である。
【図５】図２中に示したＩＩＩ−ＩＩＩ線断面図である。
【図６】図２中に示したＩＶ−ＩＶ線断面図である。
【図７】従来の入力装置の概略構成を示す断面図である。
【図８】本実施形態に係る表示装置の概略構成を示す断面図である。
【図９】本実施形態に係る携帯端末の概略構成を示す斜視図である。
【図１０】変形例１に係る入力装置の概略構成を示す平面図である。
【図１１】変形例１に係る入力装置の概略構成を示す平面図であって、基体を透視した図である。
【図１２】図１１中に示したＶ−Ｖ線断面図である。
【図１３】図１１中に示したＶＩ−ＶＩ線断面図である。
【図１４】変形例２に係る入力装置の概略構成を示す平面図である。
【図１５】変形例２に係る入力装置の概略構成を示す平面図であって、基体を透視した図である。
【図１６】図１５中に示したＶＩＩ−ＶＩＩ線断面図である。
【図１７】図１５中に示したＶＩＩＩ−ＶＩＩＩ線断面図である。
【図１８】変形例３に係る入力装置の概略構成を示す平面図である。
【図１９】変形例３に係る入力装置の概略構成を示す平面図であって、基体を透視した図である。
【図２０】図１９中に示したＩＸ−ＩＸ線断面図である。
【図２１】図１９中に示したＸ−Ｘ線断面図である。
【図２２】変形例４に係る入力装置の概略構成を示す平面図であって、基体を透視した図である。
【図２３】図２２中に示したＸＩ−ＸＩ線断面図である。
【発明を実施するための形態】
【００１２】
以下、本発明の実施形態について、図面を参照しながら説明する。
【００１３】
但し、以下で参照する各図は、説明の便宜上、本発明の一実施形態の構成部材のうち、本発明を説明するために必要な主要部材を簡略化して示したものである。したがって、本発明に係る入力装置、表示装置、電子機器、および携帯端末は、本明細書が参照する各図に示されていない任意の構成部材を備え得る。
【００１４】
図１および図２に示すように、本実施形態に係る入力装置Ｘ１は、投影型の静電容量方式のタッチパネルであって、入力領域Ｅ１および非入力領域Ｅ２を有している。入力領域Ｅ１は、使用者が入力操作を行うことができる領域である。非入力領域Ｅ２は、使用者が入力操作を行うことができない領域である。非入力領域Ｅ２は、入力領域Ｅ１を取り囲んで、当該入力領域Ｅ１の外側に位置している。なお、非入力領域Ｅ２は、入力領域Ｅ１の内側に位置していてもよい。また、入力装置Ｘ１は、投影型の静電容量方式のタッチパネルに限らず、例えば、表面型の静電容量方式のタッチパネル、抵抗膜方式のタッチパネル、表面弾性波方式のタッチパネル、光学方式のタッチパネル、あるいは電磁誘導方式のタッチパネルであってもよい。
【００１５】
また、本実施形態では、入力装置Ｘ１は、カバーガラス一体型の静電容量方式のタッチパネルであるが、これに限らない。入力装置Ｘ１は、例えば、積層型あるいはオンセル型の静電容量方式のタッチパネルであってもよい。
【００１６】
図１〜６に示すように、入力装置Ｘ１は基体２を備えている。
【００１７】
基体２は、第１検出電極パターン３、第２検出電極パターン４、絶縁体５、第１加飾層６、第１保護層７、第２加飾層８、検出用配線９、接続配線１０、第２保護層１１、第３保護層１２、保護シート１３、および接着層１４を支持する役割を有する。なお、図２では、説明の便宜上、絶縁体５、第２保護層１１、第３保護層１２、保護シート１３、および接着層１４の図示は省略する。
【００１８】
基体２は、第１主面２ａ、第２主面２ｂ、および端面２ｃを有する。第１主面２ａは、第２主２ｂに比して使用者が入力操作を行う側に位置している。第２主面２ｂは、第１主面２ａの反対側に位置している。端面２ｃは、第１主面２ａと第２主面２ｂとの間に位置している。本実施形態では、基体２の外形状は、平面視して略矩形状である。このため、端面２ｃは、平面視における基体２の４辺に対応して４つ存在する。なお、基体２の外形状は、平面視して、略多角形状あるいは略円形状等であってもよい。
【００１９】
基体２は、絶縁性を有する。基体２は、第１主面２ａおよび第２主面２ｂに交差する方向に入射する光に対して透光性を有する。なお、本明細書において「透光性」とは、可視光の一部または全部を透過する性質を指す。
【００２０】
本実施形態では、基体２は、平面視して角部が丸みを帯びた略矩形状であるが、これに限らない。基体２は、平面視して、略多角形状あるいは略円形状であってもよい。本実施形態では、基体２の構成材料は、ガラスである。特に、当該ガラスは、強度向上のため、イオン交換によって化学強化されたガラスであることが好ましい。ここで、基体２が化学強化されたガラスである場合、当該化学強化した層も基体２に含まれるものとする。なお、基体２の構成材料としては、ガラスに代えて、プラスチックを採用してもよい。
【００２１】
第１検出電極パターン３は、入力領域Ｅ１に対応する基体２の第１主面２ａに接近した使用者の指Ｆ１との間において静電容量を発生し、Ｙ方向における入力位置を検出する役割を有する。第１検出電極パターン３は、入力領域Ｅ１に対応する基体２の第２主面２ｂ上に、Ｙ方向に並んで複数設けられている。また、第１検出電極パターン３は、第１検出電極３ａおよび第１電極間配線３ｂを有する。
【００２２】
第１検出電極３ａは、使用者の指Ｆ１との間において静電容量を発生する役割を有する。第１検出電極３ａは、Ｘ方向に並んで複数設けられている。第１電極間配線３ｂは、第１検出電極３ａ同士を電気的に接続する役割を有する。第１電極間配線３ｂは、互いに隣り合う第１検出電極３ａの間に設けられている。
【００２３】
第２検出電極パターン４は、入力領域Ｅ１に対応する基体２の第１主面２ａに接近した使用者の指Ｆ１との間において静電容量を発生し、Ｘ方向における入力位置を検出する役割を有する。第２検出電極パターン４は、入力領域Ｅ１に対応する基体２の第２主面２ｂ上に、Ｘ方向に並んで複数設けられている。また、第２検出電極パターン４は、第２検出電極４ａおよび第２電極間配線４ｂを有する。
【００２４】
第２検出電極４ａは、使用者の指Ｆ１との間において静電容量を発生する役割を有する。第２検出電極４ａは、Ｙ方向に並んで複数設けられている。第２電極間配線４ｂは、第２検出電極４ａ同士を電気的に接続する役割を有する。第２電極間配線４ｂは、互いに隣り合う第２検出電極４ａの間において、第１電極間配線３ｂと電気的に絶縁するように、絶縁体５を跨いで当該絶縁体５上に設けられている。ここで、絶縁体５は、第１電極間配線３ｂを覆うように基体２の第２主面２ｂ上に設けられている。絶縁体５の構成材料としては、例えば、アクリル樹脂、エポキシ樹脂、シリコーン樹脂、二酸化ケイ素、あるいは窒化珪素等の透明樹脂が挙げられる。
【００２５】
なお、本実施形態に係る第１検出電極３ａおよび第２検出電極４ａは、平面視して略菱形状とされているが、これに限らず、多角形状あるいは円形状であってもよい。第１検出電極３ａおよび第２検出電極４ａが平面視して略菱形状であれば、第１検出電極３ａおよび第２検出電極４ａの隙間を狭くすることができる。この結果、基体２の第２主面２ｂ上に設けられた第１検出電極３ａおよび第２検出電極４ａの面積を相対的に大きくすることができる。このため、第１検出電極３ａおよび第２検出電極４ａと指Ｆ１との間において発生する静電容量を大きくすることができ、入力装置Ｘ１の検出感度が向上する。
【００２６】
上述の第１検出電極パターン３および第２検出電極パターン４の構成材料としては、透光性を有する導電性部材が挙げられる。透光性を有する導電性部材としては、例えば、ＩＴＯ（Indium Tin Oxide）、ＩＺＯ（Indium Zinc Oxide）、ＡＴＯ（Al-Doped Zinc Oxide）、酸化錫、酸化亜鉛、あるいは導電性高分子が挙げられる。なお、第１検出電極パターン３および第２検出電極パターン４の少なくとも一部は、金属細線によって構成されていてもよい。金属細線の構成材料としては、例えば、アルミニウム、銀、金、あるいはこれらの合金等の金属材料が挙げられる。
【００２７】
第１検出電極パターン３および第２検出電極パターン４の形成方法としては、例えば、上述の材料をスパッタリング法、蒸着法、あるいはＣＶＤ（Chemical Vapor Deposition）法によって基体２の第２主面２ｂ上に成膜する。そして、この膜の表面に感光性樹脂を塗布し、露光、現像、エッチング工程を経て、膜がパターニングされることで、第１検出電極パターン３および第２検出電極パターン４が形成される。
【００２８】
第１加飾層６は、非入力領域Ｅ２を加飾する役割を有する。また、第１加飾層６は、基体２の第１主面２ａおよび第２主面２ｂと交差する方向に入射する光を遮光する役割を有する。なお、本明細書において「遮光」とは、反射あるいは吸収によって可視光の一部または全部を遮蔽することを意味する。第１加飾層６は、非入力領域Ｅ２に対応する基体２の第２主面２ｂ上に設けられている。このため、第１加飾層６は、第１検出電極パターン３および第２検出電極パターン４よりも基体２の端面２ｃ側に位置している。なお、本実施形態では、第１加飾層６は、非入力領域Ｅ２に対応する全領域に設けられているが、これに限らない。第１加飾層６は、非入力領域Ｅ２に対応する一部の領域に設けられていてもよい。
【００２９】
第１加飾層６は、開口部６ａを有する。開口部６ａは、例えば、使用者に対して文字あるいは図形等を示す役割を有する。このため、開口部６ａは、平面視して所定の文字あるいは図形等を示す形状を有している。なお、本実施形態において、開口部６ａは、「ＡＢＣ」の文字形状をなしているが、これに限らない。また、開口部６ａは、図２に示すように、平面視して基体２の上側の短辺に沿って位置しているが、これに限らない。すなわち、開口部６ａの個数、形状、あるいは配置位置については、任意である。
【００３０】
第１加飾層６の構成材料としては、例えば、樹脂材料に着色材料を含んだものが挙げられる。樹脂材料としては、例えば、アクリル系樹脂、エポキシ系樹脂、あるいはシリコーン系樹脂が挙げられる。着色材料としては、例えば、カーボン、チタン、あるいはクロムが挙げられる。なお、第１加飾層６は、黒色に限らず、黒色以外の色を着色していてもよい。第１加飾層６を形成する方法としては、例えば、スクリーン印刷法、スパッタリング法、ＣＶＤ法、あるいは蒸着法が挙げられる。
【００３１】
第１保護層７は、第１加飾層６を保護する役割を有する。ここで、第１加飾層６を保護する役割としては、例えば、第１加飾層６を水分の吸湿による腐食から保護する役割が挙げられる。第１保護層７は、非入力領域Ｅ２に対応する基体２の第２主面２ｂ上に設けられている。具体的には、第１保護層７は、第１加飾層６上に設けられている。第１保護層７の一部は、第１加飾層６の開口部６ａ内に位置している。なお、本実施形態では、第１保護層７は、第１加飾層６を被覆している。このため、水分の吸湿による腐食から第１加飾層６を十分に保護することができる。また、第１加飾層６の材質が変質してしまう可能性を低減することができる。本実施形態では、第１加飾層６の開口部６ａ上に位置する第１保護層７の表面は、略平坦面をなしている。第１保護層７は、透光性を有している。第１保護層７の構成材料としては、例えば、アクリル系樹脂、シリコーン系樹脂、ゴム系樹脂、ウレタン系樹脂、あるいは、二酸化ケイ素あるいは窒化ケイ素を含む樹脂が挙げられる。第１保護層７を形成する方法としては、例えば、転写印刷法、スピンコート法、あるいはスリットコート法が挙げられる。
【００３２】
第２加飾層８は、第１加飾層６の開口部６ａを加飾する役割を有する。第２加飾層８は、非入力領域Ｅ２に対応する基体２の第２主面２ｂ上に設けられている。具体的には、第２加飾層８は、第１保護層７上に設けられている。第２加飾層８の一部は、平面視して第１加飾層６の開口部６ａと重なって位置している。第２加飾層８の構成材料としては、第１加飾層６と同様のものが挙げられる。
【００３３】
第２加飾層８を形成する方法としては、第１加飾層６と同様のものが挙げられる。また、第２加飾層８は、金属薄膜によって形成されてもよい。金属薄膜の構成材料としては、例えば、アルミニウム膜、アルミニウム合金膜、クロム膜とアルミニウム膜との積層膜、クロム膜とアルミニウム合金膜との積層膜、銀膜、銀合金膜、あるいは金合金膜が挙げられる。金属薄膜の形成方法としては、例えば、スパッタリング法、ＣＶＤ法、あるいは蒸着法が挙げられる。
【００３４】
このように、入力装置Ｘ１では、第１保護層７は、第１加飾層６上に設けられている。第１保護層７の一部は、第１加飾層６の開口部６ａ内に位置している。第２加飾層８は、第１保護層７上に設けられている。第２加飾層８は、平面視して、第１加飾層６の開口部６ａと重なって位置している。このため、入力装置Ｘ１では、第１保護層７が剥離する可能性を低減しつつ、第１加飾層６の開口部６ａを加飾することができる。以下、この理由について詳細に説明する。
【００３５】
図７に示す従来の入力装置では、第１加飾層６００の開口部６００ａに第２加飾層７００を充填して設ける際に、表面張力の影響によって、第２加飾層７００の一部が、第１加飾層６００上にぬれ上がる可能性があった。第２加飾層７００の一部が第１加飾層６００上にぬれ上がると、当該ぬれ上がった第２加飾層７００の厚みは、第１加飾層６００の厚みよりも大きくなる。すなわち、第２加飾層７００の一部は、第１加飾層６００に対して凸状に形成されることになる。このような状態で、第１加飾層６００上および第２加飾層７００上に第１保護層８００を設けた場合、第２加飾層７００の一部が凸状に形成されているため、第１保護層８００と第１加飾層６００および第２加飾層７００との間に気泡が入り込む可能性があった。第１保護層８００と第１加飾層６００および第２加飾層７００との間に気泡が入り込むと、第１保護層８００が剥離する可能性があった。
【００３６】
特に、本実施形態のように、第１加飾層６が基体２の第２主面２ｂ上に設けられている場合、第１加飾層６は、第１主面２ａから遠い側に位置している。また、本実施形態のように、第１加飾層６が第１検出電極パターン３および第２検出電極パターン４よりも基体２の端面２ｃ側に位置している場合、開口部６ａは、基体２の端面２ｃ側に位置している。ここで、基体２のうち端面２ｃ近傍に位置する第２主面２ｂは、入力領域Ｅ１に対応する基体２の第１主面２ａが押圧された際に、応力が集中しやすい部位である。このため、開口部６ａ上に設けられた部材は、特に剥がれが生じやすい。
【００３７】
そこで、入力装置Ｘ１では、第１保護層７の一部は、第１加飾層６の開口部６ａ内に位置している。このため、アンカー効果によって、第１加飾層６に対する第１保護層７の接着強度を向上させることができる。また、第２加飾層８は、第１保護層７上に設けられている。第２加飾層８は、平面視して第１加飾層６の開口部６ａと重なって位置している。このため、第２加飾層８は、第１保護層７を介して第１加飾層６の開口部６ａを加飾することができる。このように、入力装置Ｘ１では、第１保護層７が剥離する可能性を低減しつつ、第１加飾層６の開口部６ａを加飾することができる。
【００３８】
また、従来の入力装置では、第１加飾層６００の角部６００ｂに対する第２加飾層７００の接着強度が小さい。このため、第１加飾層６００の角部６００ｂ上に位置する第２加飾層７００の厚みＳ１は、相対的に小さくなる可能性がある。厚みＳ１が相対的に小さくなると、入力装置が表示装置に組み込まれた場合に、基体２の第２主面２ｂ側に配置されたバックライトから出射された光Ｌ１が、第１加飾層６００の角部６００ｂ上に位置する第２加飾層７００を介して、第１加飾層６００と第２加飾層７００との間から使用者に視認されてしまう可能性があった。
【００３９】
これに対して、本実施形態に係る入力装置Ｘ１では、第２加飾層８は第１保護層７上に位置している。ここで、第１保護層７は、第１加飾層６の開口部６ａを埋入するように第１加飾層６上に設けられており、開口部６ａ上に位置する第１保護層７の表面は略平坦面をなしている。このため、第２加飾層８は、厚みを略均一に形成することができる。そのため、入力装置Ｘ１が表示装置Ｙ１に組み込まれた場合に、基体２の第２主面２ｂ側に配置されたバックライト３００から出射された光が、第１加飾層６と第２加飾層８との間から使用者に視認されてしまう可能性を低減することができる。
【００４０】
なお、本実施形態では、第２加飾層８は１つ設けられているが、これに限らず、複数設けられていてもよい。この場合、複数の第２加飾層８を、互いに異なる色で着色することによって、第１加飾層６の開口部６ａを互いに異なる色で配色することができる。これにより、入力装置Ｘ１の意匠性が向上する。
【００４１】
また、第２加飾層８は、第１加飾層６とは異なる色を着色することが好ましい。第２加飾層８を第１加飾層６とは異なる色で着色した場合、平面視して、開口部６ａ以外の第１加飾層６が位置する領域と、開口部６ａが位置する領域とを異なる色で配色することができ、入力装置Ｘ１の意匠性が向上する。ここで、「異なる色」とは、例えば、マンセル表示系で色相、明度、彩度の少なくともいずれかが異なることを意味する。
【００４２】
また、第２加飾層８の構成材料は、透光性を有する着色材料であってもよい。第２加飾層８の構成材料が透光性を有する着色材料であると、例えば、入力装置Ｘ１が表示装置Ｙ１に組み込まれた場合に、基体２の第２主面２ｂ側に配置されたバックライト３００から出射された光が、第２加飾層８および第１保護層７を介して、第１加飾層６の開口部６ａから使用者に視認されることになる。このような場合に、使用者に視認される当該光は、第２加飾層８が有する色に発色された光であり、これによって、入力装置Ｘ１の意匠性が向上する。なお、透光性を有する着色材料としては、例えば、エポキシ性樹脂およびアクリル系樹脂に所定の色を有した顔料を混入したものが挙げられる。
【００４３】
検出用配線９は、第１検出電極パターン３および第２検出電極パターン４と指Ｆ１との間において発生した静電容量の変化を検出する役割を有する。検出用配線９は、非入力領域Ｅ２に対応する基体２の第２主面２ｂ上に設けられている。具体的には、検出用配線９は、第１保護層７上に設けられている。このため、第１加飾層６に含まれる着色材料が導電性を有していたとしても、第１加飾層６と検出用配線とを電気的に絶縁することができる。また、検出用配線９は、開口部６ａを除く第１加飾層６上に位置している。このため、検出用配線９が使用者に視認されてしまう可能性を低減することができる。また、検出用配線９の一端は、基体２の第２主面２ｂ上の外部導通領域Ｇ１に位置している。検出用配線９の他端は、接続配線１０と接続されている。
【００４４】
ここで、検出用配線９は、第２加飾層８同じ材料から構成されていてもよい。検出用配線９と第２加飾層８とが同じ材料からなる場合、検出用配線９および第２加飾層８を同一の製造工程によって同時に形成することができる。特に、本実施形態のように、検出用配線９および第２加飾層８が第１保護層７の表面に設けられている場合、検出用配線９および第２加飾層８は、第１保護層７の形成後に同時に形成することができる。このため、製造工程を削減することができる。
【００４５】
検出用配線９は、硬質で高い形状安定性を得るべく、金属薄膜で形成される。金属薄膜の構成材料および形成方法としては、第２加飾層８と同様のものが挙げられる。
【００４６】
接続配線１０は、第１検出電極パターン３と検出用配線９とを電気的に接続する役割を有する。また、接続配線１０は、第２検出電極パターン４と検出用配線９とを電気的に接続する役割を有する。図６に示すように、接続配線１０は、基体２の第２主面２ｂ上に位置しており、入力領域Ｅ１から非入力領域Ｅ２に亘って設けられている。接続配線１０は、第１検出電極パターン３の一端に位置する第１検出電極３ａと、検出用配線９とを接続している。また、接続配線１０は、第２検出電極パターン４の一端に位置する第２検出電極４ａと、検出用配線９とを接続している。接続配線１０の構成材料および形成方法としては、第１検出電極パターン３および第２検出電極パターン４と同様のものが挙げられる。
【００４７】
第２保護層１１は、検出用配線９を保護する役割を有する。ここで、検出用配線９を保護する役割としては、例えば、検出用配線９を水分の吸湿による腐食から保護する役割が挙げられる。第２保護層１１は、非入力領域Ｅ２において、第１保護層７上に設けられている。また、第２保護層１１は、検出用配線９を被覆している。このため、水分の吸湿による腐食から、検出用配線９を十分に保護することができる。第２保護層１１の構成材料および形成方法としては、第１保護層７と同様のものが挙げられる。
【００４８】
第３保護層１２は、第１検出電極パターン３および第２検出電極パターン４を保護する役割を有する。ここで、第１検出電極パターン３および第２検出電極パターン４を保護する役割としては、例えば、第１検出電極パターン３および第２検出電極パターン４を外部からの衝撃によって傷を付けないように保護する役割が挙げられる。また、第１検出電極パターン３および第２検出電極パターン４を水分の吸湿による腐食から保護する役割が挙げられる。第３保護層１２は、入力領域Ｅ１、および、被入力領域Ｅ２の一部の領域に対応する基体２の第２主面２ｂ上に設けられており、第１検出電極パターン３、第２検出電極パターン４、絶縁体５、および接続配線９を被覆している。なお、本実施形態では、入力装置Ｘ１は、第２保護層１１および第３保護層１２を有しているが、これに限らず、第２保護層１１および第３保護層１２は、一つの部材であってもよい。第３保護層１２の構成材料および形成方法としては、第１保護層７と同様のものが挙げられる。
【００４９】
保護シート１３は、使用者の指Ｆ１の接触によって基体２の第１主面２ａを傷付けないように保護する役割を有する。保護シート１３は、接着層１４を介して、入力領域Ｅ１および非入力領域Ｅ２に対応する基体２の第１主面２ａの全面に亘って設けられている。なお、保護シート１３は、入力領域Ｅ１に対応する基体２の第１主面２ａ上にのみ設けられていてもよい。保護シート１３の構成材料としては、例えば、ガラスあるいはプラスチックが挙げられる。また、接着層１４の構成材料としては、例えば、アクリル系粘着材、シリコーン系粘着材、ゴム系粘着材、あるいはウレタン系粘着材が挙げられる。
【００５０】
次に、入力装置Ｘ１の検出原理について説明する。
【００５１】
図示しない位置検出ドライバは、外部導通領域Ｇ１に位置する検出用配線９と電気的に接続されている。また、図示しない電源装置は、第１検出電極パターン３および第２検出電極パターン４に電圧を供給している。ここで、入力領域Ｅ１に対応する基体２の第１主面２ａに、保護シート１３を介して導電体である指Ｆ１が近接、接触、または押圧すると、指Ｆ１と第１検出電極３ａおよび第２検出電極４ａとの間において静電容量が発生する。位置検出ドライバは、第１検出電極パターン３および第２検出電極パターン４において発生する静電容量を常に検出しており、所定値以上の静電容量を検出した第１検出電極パターン３および第２検出電極パターン４の組合せによって、使用者が入力操作を行った入力位置を検出する。このようにして、入力装置Ｘ１は、入力位置を検出することができる。
【００５２】
以上のように、入力装置Ｘ１では、第１保護層７が剥離する可能性を低減しつつ、第１加飾層６の開口部６ａを加飾することができる。
【００５３】
次に、入力装置Ｘ１を備えた表示装置Ｙ１について、図８を参照しながら説明する。
【００５４】
図８に示すように、本実施形態に係る表示装置Ｙ１は、入力装置Ｘ１、第１筐体１００、表示パネル２００、バックライト３００、および回路基板４００を備えている。
【００５５】
入力装置Ｘ１は、入力領域Ｅ１が露出するように、第１筐体１００に収容されている。第１筐体１００の構成材料としては、例えば、ポリカーボネート等の樹脂、あるいは、ステンレス、アルミニウム等の金属が挙げられる。また、入力装置Ｘ１は、支持部材Ｐ１を介して第１筐体１００の支持部１０１上に設けられている。なお、支持部材Ｐ１はなくともよく、入力装置Ｘ１は、第１筐体１００の支持部１０１上に直接設けられていてもよい。
【００５６】
表示パネル２００は、画像あるいは動画を表示する役割を有する。表示パネル２００は入力装置Ｘ１に対向して配置され、第１筐体１００に収容されている。なお、入力装置Ｘ１および表示パネル２００は、所定の間隔をあけて配置されているが、これに限らず、入力装置Ｘ１が固定部材を介して表示パネル２００上に直接設けられていてもよい。固定部材としては、例えば、両面テープ、熱硬化性樹脂、紫外線硬化性樹脂、あるいはねじ等の止め具が挙げられる。なお、本実施形態に係る表示パネル２００は、液晶構造体を用いた液晶パネルであるが、これに限らず、プラズマディスプレイ、有機ＥＬディスプレイ、ＦＥＤ（Field Emission Display）、ＳＥＤ（Surface-conduction Electron-emitter Display）、あるいは電子ペーパであってもよい。
【００５７】
バックライト３００は、表示パネル２００の下面全体にわたって、光を入射する役割を有する。バックライト３００は、表示パネル２００の後方に配置されている。バックライト３００は、光源３０１および導光板３０２を備えている。光源３０１は、導光板３０２に向けて光を出射する役割を担う部材であり、ＬＥＤ（Light Emitting Diode）から構成されている。なお、光源３０１はＬＥＤから構成されていなくともよく、例えば、冷陰極蛍光ランプ、ハロゲンランプ、キセノンランプ、あるいはＥＬ（Electro-Luminescence）から構成されてもよい。導光板３０２は、表示パネル２００の下面全体にわたって、光源３０１からの光を略均一に導くための役割を担う部材である。なお、表示パネル２００の代わりに自発光素子を用いた表示パネルを用いる場合は、バックライト３００はなくともよい。
【００５８】
回路基板４００は、表示パネル２００およびバックライト３００を制御する制御回路、抵抗器、あるいはコンデンサ等の電子部品を支持する役割を有する。回路基板４００は、バックライト３００の後方に配置されている。回路基板４００上に位置する制御回路は、図示しないフレキシブルプリント配線基板等によって、表示パネル２００およびバックライト３００と電気的に接続されている。なお、回路基板４００は、上記の位置検出ドライバを備えていてもよい。この場合、回路基板４００上に位置する上記の位置検出ドライバは、図示しないフレキシブルプリント配線基板等によって、外部導通領域Ｇ１に位置する検出用配線９に対して電気的に接続される。また、回路基板４００は、複数設けられていてもよい。回路基板４００の構成材料としては、例えば、樹脂材料が挙げられる。
【００５９】
このように、表示装置Ｙ１は、表示パネル２００を、入力装置Ｘ１を介して透視しながら、入力装置Ｘ１の入力領域Ｅ１を入力操作することによって、各種の情報を入力することができる。なお、各種の情報を入力する際に、情報を入力した使用者に対して、押圧感、なぞり感、肌触り感等の様々な触感を呈示する機能を入力装置Ｘ１に付与してもよい。この場合、入力装置Ｘ１における基体２に、１または複数の振動体（例えば、圧電素子等）を備え、所定の入力操作あるいは所定の押圧荷重を検知した場合に、当該振動体を所定の周波数で振動させることで実現することができる。
【００６０】
以上のように、表示装置Ｙ１は、入力装置Ｘ１を備えているため、第１保護層７が剥離する可能性を低減しつつ、第１加飾層６の開口部６ａを加飾することができる。
【００６１】
次に、表示装置Ｙ１を備えた携帯端末Ｚ１について、図９を参照しながら説明する。
【００６２】
図９に示すように、本実施形態に係る携帯端末Ｚ１は、スマートフォン端末である。なお、携帯端末Ｚ１は、スマートフォン端末に限らず、例えば、携帯電話、タブレット端末、あるいはＰＤＡ（Personal Digital Assistant）等であってもよい。携帯端末Ｚ１は、表示装置Ｙ１、音声入力部５０１、音声出力部５０２、キー入力部５０３、および第２筐体５０４を備えている。なお、表示装置Ｙ１および第２筺体５０４が、本発明に係る電子機器の一実施形態となる。
【００６３】
音声入力部５０１は、使用者の音声等を入力する役割を有し、マイク等により構成されている。音声出力部５０２は、相手方からの音声等を出力する役割を有し、電磁スピーカあるいは圧電スピーカ等により構成されている。キー入力部５０３は、機械的なキーにより構成されている。なお、キー入力部５０３は、表示画面に表示された操作キーであってもよい。第２筐体５０４は、表示装置Ｙ１、音声入力部５０１、音声出力部５０２、およびキー入力部５０３を収容する役割を有する。なお、第２筐体５０４はなくともよく、表示装置Ｙ１の第１筐体１００に音声入力部５０１、音声出力部５０２、およびキー入力部５０３が収容されていてもよい。第２筐体５０４の構成材料としては、第１筐体１００と同様のものが挙げられる。
【００６４】
他にも、携帯端末Ｚ１は、必要な機能に応じて、デジタルカメラ機能部、ワンセグ放送用チューナ、赤外線通信機能部等の近距離無線通信部、無線ＬＡＮモジュール、Bluetoothモジュール、および各種インタフェース等を備える場合もあるが、これらの詳細についての図示および説明は省略する。
【００６５】
以上のように、携帯端末Ｚ１は、表示装置Ｙ１を備えているため、第１保護層７が剥離する可能性を低減しつつ、第１加飾層６の開口部６ａを加飾することができる。
【００６６】
ここで、表示装置Ｙ１は、上記の携帯端末Ｚ１の代わりに、産業用途で使用されるプログラマブル表示器、電子手帳、パーソナルコンピュータ、複写機、ゲーム用の端末装置、テレビ、あるいはデジタルカメラ等の種々の電子機器に備えられていてもよい。
【００６７】
なお、上述した実施形態は、本発明の実施形態の一具体例を示したものであり、種々の変形が可能である。以下、いくつかの主な変形例を示す。
【００６８】
［変形例１］
図１０は、変形例１に係る入力装置Ｘ２の概略構成を示す平面図である。図１１は、変形例１に係る入力装置Ｘ２の概略構成を示す平面図であって、基体２を透視した図である。図１２は、図１１中に示したＶ−Ｖ線断面図である。図１３は、図１１中に示したＶＩ−ＶＩ線断面図である。なお、図１０〜１３において、図１，２，５，６と同様の機能を有する構成については、同じ参照符号を付記し、その詳細な説明は省略する。また、図１１では、説明の便宜上、絶縁体５、第３保護層１２、保護シート１３、および接着層１４の図示は省略する。
【００６９】
図１０〜１３に示すように、入力装置Ｘ２では、入力装置Ｘ１が備える第２保護層１１の代わりに、第２保護層１５を備えている。また、入力装置Ｘ１が備える第２加飾層８の代わりに、第２加飾層１６を備えている。
【００７０】
第２保護層１５は、非入力領域Ｅ２において、第１保護層７上の全領域に設けられている。また、第２保護層１５は、検出用配線９を被覆している。第２加飾層１６は、第２保護層１５上に設けられており、平面視して、第１加飾層６の開口部６ａおよび検出用配線９を覆っている。このため、第２加飾層１６は、第１加飾層６の開口部６ａを加飾することができるとともに、基体２の第２主面２ｂ側から検出用配線９に対して入射する光を遮光することができる。そのため、例えば、入力装置Ｘ２が表示装置に組み込まれた場合に、表示装置のバックライトから検出用配線９に対して出射される光を、第１加飾層６および第２加飾層１６によって遮光することができる。
【００７１】
以上のように、入力装置Ｘ２によれば、バックライトから検出用配線９に対して出射される光の光量が相対的に大きい場合であっても、検出用配線９が使用者に視認される可能性を低減することができる。
【００７２】
なお、変形例１では、平面視して、第１加飾層６が位置する領域と第２加飾層１６が位置する領域とは略同一である。このため、第１加飾層６が位置する領域と、第２加飾層１６が位置する領域とを同じように遮光することができるため、入力装置Ｘ２の非入力領域Ｅ２における視認性が向上する。なお、第２加飾層１６は、平面視して、第１加飾層６が位置する領域よりも外側に位置していてもよい。この場合、入力装置Ｘ２は、平面視して、第１加飾層６および第２加飾層１６が重なった領域と、第２加飾層１６が位置する領域とを有する。このため、入力装置Ｘ２を透過率の異なる２つの領域によって濃淡差をつけて配色することができる。これにより、入力装置Ｘ２の意匠性が向上する。
【００７３】
［変形例２］
図１４は、変形例２に係る入力装置Ｘ３の概略構成を示す平面図である。図１５は、変形例２に係る入力装置Ｘ３の概略構成を示す平面図であって、基体２を透視した図である。図１６は、図１５中に示したＶＩＩ−ＶＩＩ線断面図である。図１７は、図１５中に示したＶＩＩＩ−ＶＩＩＩ線断面図である。なお、図１４〜１７において、図１，２，５，６と同様の機能を有する構成については、同じ参照符号を付記し、その詳細な説明は省略する。また、図１５では、説明の便宜上、絶縁体５、第２保護層１１、第３保護層１２、保護シート１３、および接着層１４の図示は省略する。
【００７４】
図１４〜１７に示すように、入力装置Ｘ３では、入力装置Ｘ１が備える第２加飾層８の代わりに、第２加飾層１７を備えている。第２加飾層１７は、導電性を有している。第２加飾層１７の構成材料としては、例えば、金属薄膜が挙げられる。第２加飾層１７は、第１検出電極３ａおよび第２検出電極４ａよりも基体２の端面２ｃ側に位置している。具体的には、第２加飾層１７は、平面視して、基体２の周囲に沿って第１検出電極３ａおよび第２検出電極４ａを取り囲むように、第１保護層７上に設けられている。このため、例えば、入力装置Ｘ３が表示装置に組み込まれた場合に、当該表示装置あるいは入力装置Ｘ３の周囲に位置する電子部品等から発生した電気的ノイズを、第２加飾層１７によって除去することができる。そのため、第１検出電極３ａおよび第２検出電極４ａが、電気的ノイズの影響を受けることによって、入力装置Ｘ３の検出感度が低下してしまう可能性を低減することができる。
【００７５】
ここで、本明細書において、「第１検出電極３ａおよび第２検出電極４ａを取り囲むように」とは、第２加飾層１７が第１検出電極３ａおよび第２検出電極４ａを完全に取り囲む必要はなく、例えば、図１５に示すように、第２加飾層１７と外部導通領域Ｇ１とによって、第１検出電極３ａおよび第２検出電極４ａを取り囲んでもよいことも含む意味である。
【００７６】
なお、変形例２では、第２加飾層１７は、第１検出電極３ａおよび第２検出電極４ａを取り囲むように設けられているが、これに限らない。第２加飾層１７は、第１検出電極３ａおよび第２検出電極４ａよりも基体２の端面２ｃ側に位置していればよい。
【００７７】
また、変形例２では、第２加飾層１７は、検出用配線９を取り囲むように設けられている。このため、検出用配線９が、電気的ノイズの影響を受けることによって、入力装置Ｘ３の検出感度が低下してしまう可能性を低減することができる。なお、第２加飾層１７は、平面視して、検出用配線９よりも基体２の内側に位置していてもよい。
【００７８】
また、第２加飾層１７は、グランド電位に設定されていることが好ましい。ここで、グランド電位とは、入力装置Ｘ３を動作させる上での基準となる電位を指す。第２加飾層１７がグランド電位に設定されていると、上記の電気的ノイズをより有効に除去することができる。このため、入力装置Ｘ３の検出感度が低下してしまう可能性をさらに低減することができる。
【００７９】
［変形例３］
図１８は、変形例３に係る入力装置Ｘ４の概略構成を示す平面図である。図１９は、変形例３に係る入力装置Ｘ４の概略構成を示す平面図であって、基体２を透視した図である。図２０は、図１９中に示したＩＸ−ＩＸ線断面図である。図２１は、図１９中に示したＸ−Ｘ線断面図である。なお、図１８〜２１において、図１，２，５，６と同様の機能を有する構成については、同じ参照符号を付記し、その詳細な説明は省略する。また、図１９では、説明の便宜上、絶縁体５、第１保護層７、第３保護層１２、保護シート１３、および接着層１４の図示は省略する。
【００８０】
図１８〜２１に示すように、入力装置Ｘ４では、入力装置Ｘ１が備える第２加飾層８の代わりに、第２加飾層１８を備えている。第２加飾層１８は、導電性を有している。また、第２加飾層１８は、平面視して、基体２の周囲に沿って第１検出電極３ａおよび第２検出電極４ａを取り囲むように、第１保護層７上に設けられている。第２加飾層１８の構成材料としては、例えば、金属薄膜が挙げられる。また、入力装置Ｘ４では、入力装置Ｘ１が備える第２保護層１１の代わりに、第２保護層１９を備えている。第２保護層１９は、検出用配線９および第２加飾層１８を被覆して、第１保護層７上の全領域に設けられている。
【００８１】
入力装置Ｘ４は、シールド層２０および導通部２１をさらに備えている。
【００８２】
シールド層２０は、第１検出電極３ａおよび第２検出電極４ａに対するノイズの影響を低減する役割を有する。シールド層２０は、平面視して、第１検出電極３ａおよび第２検出電極４ａを覆うように、入力領域Ｅ１に対応する基体２の第２主面２ｂ上に設けられている。また、シールド層２０は、平面視して、第２加飾層１８を覆うように、非入力領域Ｅ２に対応する第２保護層１９上に設けられている。シールド層２０は、ベースフィルム２０ａおよび導電部材２０ｂを有している。ベースフィルム２０ａは、絶縁性を有しており、導電部材２０ｂは、ベースフィルム２０ａ上に設けられている。ベースフィルム２０ａとしては、例えば、ポリエステルフィルム、ポリプロピレンフィルム、ポリエチレンフィルム等が挙げられる。導電部材１４ｂとしては、例えば、ＩＴＯ、ＩＺＯ、ＡＴＯ、ＡＺＯ、酸化錫、酸化亜鉛、あるいは導電性高分子が挙げられる。
【００８３】
導通部２１は、第２加飾層１８とシールド層２０における導電部材２０ｂとを電気的に接続する役割を有する。導通部２１は、図２０に示すように、第２保護層１１およびベースフィルム２０ａに貫通孔Ｔ１を形成し、当該貫通孔Ｔ１に、はんだ、銀ペースト等からなる導体を形成することにより形成される。第２加飾層１８とシールド層２０における導電部材２０ｂとが導通部２１により電気的に接続されることにより、導電部材２０ｂの抵抗値を下げることができる。これにより、第１検出電極３ａおよび第２検出電極４ａに対するノイズをより効率的に遮蔽することができる。ここで、導通部２１は、基体２の隅部Ｃ１以外の部位上に設けられている。このため、基体２に熱収縮が生じた場合であっても、導通部２１にクラック等が生じる可能性を低減することができる。
【００８４】
なお、変形例３では、隅部Ｃ１とは、平面視して、基体２の長辺を等間隔に８分割するとともに、基体２の短辺を等間隔に８分割し、基体２の長辺に対して垂直な線と、基体２の短辺に対して垂直な線とを結ぶ領域のうち、基体２の隅に最も近い領域を意味している。また、変形例３では、導通部２１は２箇所に設けられているが、これに限らず、基体２の隅部Ｃ１以外の部位上であれば、何箇所に設けられていてもよい。
【００８５】
［変形例４］
図２２は、変形例３に係る入力装置Ｘ５の概略構成を示す平面図であって、基体２を透視した図である。図２３は、図２２中に示したＸＩ−ＸＩ線断面図である。なお図２２および図２３において、図２および図５と同様の機能を有する構成については、同じ参照符号を付記し、その詳細な説明は省略する。また、図２２では、説明の便宜上、絶縁体５、第１保護層７、第３保護層１２、保護シート１３、および接着層１４の図示は省略する。
【００８６】
図２２および図２３に示すように、入力装置Ｘ５では、入力装置Ｘ１が備える第１加飾層６の代わりに、第１加飾層２２を備えている。
【００８７】
第１加飾層２２は、非入力領域Ｅ２に対応する基体２の第２主面２ｂ上に設けられている。第１加飾層２２は、開口部２２ａを有する。開口部２２ａは、例えば、使用者に対して文字あるいは図形等を示す役割を有する。このため、開口部２２ａは、平面視して所定の文字あるいは図形等を示す形状を有している。ここで、平面視して開口部２２ａを取り囲む第１加飾層２２の縁部２２ｂは、開口部２２ａに近づくにつれて厚みが小さくなっている。具体的には、縁部２２ｂの表面は、傾斜面をなしている。このため、第１加飾層２２上に第１保護層７を設ける際に、開口部２２ａ内に位置する第１保護層７の一部と基体２の第２主面２ｂとの間に気泡が介在してしまう可能性を低減することができる。
【００８８】
なお、本実施形態では、縁部２２ｂの表面は、傾斜面をなしているが、これに限らず、凸曲面あるいは凹曲面をなしていてもよい。
【００８９】
［変形例５］
なお、本明細書は、上記の実施形態および変形例１〜４について個別具体的に説明したが、これに限らず、上記の実施形態および変形例１〜４に個別に記載された事項を適宜組み合わせた例についても記載されているものである。すなわち、本発明に係る入力装置は、入力装置Ｘ１〜Ｘ５に限定されるものではなく、上記の実施形態および変形例１〜４に個別に記載された事項を適宜組み合わせた入力装置も含む。
【００９０】
また、本実施形態では、入力装置Ｘ１を備えた表示装置Ｙ１について説明したが、これに限らず、入力装置Ｘ１に代えて、入力装置Ｘ２〜Ｘ５を採用してもよい。
【００９１】
また、本実施形態では、入力装置Ｘ１を備えた携帯端末Ｚ１について説明したが、これに限らず、入力装置Ｘ１に代えて、入力装置Ｘ２〜Ｘ５を採用してもよい。
【符号の説明】
【００９２】
Ｘ１〜Ｘ５  入力装置
Ｙ１  表示装置
Ｚ１  携帯端末（電子機器）
Ｃ１  隅部
２  基体
２ａ  基体の第１主面
２ｂ  基体の第２主面
２ｃ  基体の端面
３ａ  第１検出電極
４ａ  第２検出電極
６，２２  第１加飾層
６ａ，２２ａ  第１加飾層の開口部
２２ｃ  第１加飾層の縁部
７  第１保護層
８，１６〜１８  第２加飾層
９  検出用配線
２０  シールド層
２１  導通部
２００  表示パネル
５０１  音声入力部
５０４  第２筐体（筺体）
【図１】
0005941132.tif 000002
【図２】
0005941132.tif 000003
【図３】
0005941132.tif 000004
【図４】
0005941132.tif 000005
【図５】
0005941132.tif 000006
【図６】
0005941132.tif 000007
【図７】
0005941132.tif 000008
【図８】
0005941132.tif 000009
【図９】
0005941132.tif 000010
【図１０】
0005941132.tif 000011
【図１１】
0005941132.tif 000012
【図１２】
0005941132.tif 000013
【図１３】
0005941132.tif 000014
【図１４】
0005941132.tif 000015
【図１５】
0005941132.tif 000016
【図１６】
0005941132.tif 000017
【図１７】
0005941132.tif 000018
【図１８】
0005941132.tif 000019
【図１９】
0005941132.tif 000020
【図２０】
0005941132.tif 000021
【図２１】
0005941132.tif 000022
【図２２】
0005941132.tif 000023
【図２３】
0005941132.tif 000024